【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
第１のタイプのユーザ機器（ＵＥ）と通信するために少なくとも第１のトランスポートブロックサイズ（ＴＢＳ）テーブルを使用することと、
第２のタイプのＵＥと通信するために、第２のＴＢＳテーブルを使用すること、ここにおいて、前記第１のＴＢＳテーブルは、前記第２のＴＢＳテーブルに比して低減された最大ＴＢＳ値を有する、ここにおいて、前記第１のタイプのＵＥは、前記第２のタイプのＵＥに比して低減されたピークデータレートをサポートする、と、
前記第１のＴＢＳテーブルからＴＢＳを決定することにおける使用のために前記第１のタイプのＵＥに情報をシグナリングすることと、
前記シグナリングされた情報に少なくとも部分的に基づいて選択された前記第１のＴＢＳテーブルからのＴＢＳ値に基づいて決定された多数のビットを有するペイロードを有する１つまたは複数の送信で、前記第１のタイプのＵＥと通信することと、
を備える、方法。
【請求項２】
前記第１のＴＢＳテーブルおよび第２のＴＢＳテーブルは、各々、より大きいＴＢＳテーブルのサブセットである、請求項１に記載の方法。
【請求項３】
前記第１のタイプのＵＥにシグナリングされた前記情報は、前記第１のＴＢＳテーブルへの明示的なインデックスを備える、請求項１に記載の方法。
【請求項４】
前記明示的なインデックスは、前記第１のＴＢＳテーブルへのマッピングに基づき、および
異なる複数のマッピングが、前記第１のタイプのＵＥの異なる複数の動作モードのために使用される、請求項３に記載の方法。
【請求項５】
前記第１のタイプのＵＥの前記異なる複数の動作モードは、ダウンリンク送信を受信することおよびアップリンク送信を受信することを備える、請求項４に記載の方法。
【請求項６】
前記第１のタイプのＵＥの前記異なる複数の動作モードは、ユニキャスト送信を受信することおよびブロードキャスト送信を受信することを備える、請求項４に記載の方法。
【請求項７】
前記第１のＴＢＳテーブルからの前記ＴＢＳ値は、ペイロードがそれ上で送信されるサブフレームの数を示す送信時間間隔（ＴＴＩ）のバンドリングサイズに少なくとも部分的に基づいて選択される、請求項１に記載の方法。
【請求項８】
前記第１のＴＢＳテーブルは、前記第２のＴＢＳテーブルとエントリの共通のセットを共有する、請求項１に記載の方法。
【請求項９】
前記第１のＴＢＳテーブルは、前記第２のＴＢＳテーブルに対して限定された数のエントリを有する、請求項１に記載の方法。
【請求項１０】
前記第１のテーブルの最大ＴＢＳは、前記第２のテーブルの最大ＴＢＳよりも小さい、請求項１に記載の方法。
【請求項１１】
前記第１のＴＢＳテーブルは、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのためのＴＢＳ値を決定するために使用される、請求項１に記載の方法。
【請求項１２】
ユーザ機器（ＵＥ）によるワイヤレス通信のための方法であって、
基地局（ＢＳ）と通信するために、第１のトランスポートブロックサイズ（ＴＢＳ）テーブルを使用すること、ここにおいて、前記第１のＴＢＳテーブルは、第２のタイプのＵＥと通信するために前記ＢＳによって使用される第２のＴＢＳテーブルに比して低減された最大ＴＢＳ値を有する、および、ここにおいて、前記第１のタイプのＵＥは、前記第２のタイプのＵＥに比して低減されたピークデータレートをサポートする、と、
前記第２のＴＢＳテーブルからＴＢＳを決定することにおける使用のために前記ＢＳから情報を受信することと、
前記ＢＳからシグナリングされた情報に少なくとも部分的に基づいて選択された前記第１のＴＢＳテーブルからのＴＢＳ値に基づいて決定された多数のビットを有するペイロードを有する１つまたは複数の送信で、前記ＢＳと通信することと、
を備える、方法。
【請求項１３】
基地局（ＢＳ）によるワイヤレス通信のための装置であって、
第１のタイプのユーザ機器（ＵＥ）と通信するために第１のトランスポートブロックサイズ（ＴＢＳ）テーブルを使用するための手段と、
第２のタイプのＵＥと通信するために、第２のＴＢＳテーブルを使用するための手段と、
前記第１のＴＢＳテーブルからＴＢＳを決定することにおける使用のために前記第１のタイプのＵＥに情報をシグナリングするための手段と、
前記シグナリングされた情報に少なくとも部分的に基づいて選択された前記第１のＴＢＳテーブルからのＴＢＳ値に基づいて決定された多数のビットを有するペイロードを有する１つまたは複数の送信で、前記第１のタイプのＵＥと通信するための手段とを備え、
ここにおいて、前記第１のＴＢＳテーブルは、前記第２のＴＢＳテーブルに比して低減された最大ＴＢＳ値を有する、ここにおいて、前記第１のタイプのＵＥは、前記第２のタイプのＵＥに比して低減されたピークデータレートをサポートする、
装置。
【請求項１４】
ユーザ機器（ＵＥ）によるワイヤレス通信のための装置であって、
基地局（ＢＳ）と通信するために、第１のトランスポートブロックサイズ（ＴＢＳ）テーブルを使用するための手段、ここにおいて、前記第１のＴＢＳテーブルは、第２のタイプのＵＥと通信するために前記ＢＳによって使用される第２のＴＢＳテーブルに比して低減された最大ＴＢＳ値を有する、およびここにおいて、前記第１のタイプのＵＥは、前記第２のタイプのＵＥに比して低減されたピークデータレートをサポートする、と、
前記第２のＴＢＳテーブルからＴＢＳを決定することにおける使用のために前記ＢＳから情報を受信するための手段と、
前記ＢＳからシグナリングされた情報に少なくとも部分的に基づいて選択された前記第１のＴＢＳテーブルからのＴＢＳ値に基づいて決定された多数のビットを有するペイロードを有する１つまたは複数の送信で、前記ＢＳと通信するための手段と、
を備える、装置。
【請求項１５】
実行されたとき、コンピュータに、請求項１乃至１１または請求項１２のいずれかにしたがった方法を行わせる命令を記憶したコンピュータ読み取り可能な媒体を備える、コンピュータプログラム製品。
【手続補正２】
【補正対象書類名】明細書
【補正対象項目名】００８１
【補正方法】変更
【補正の内容】
【００８１】
[0091]  本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用され得る。よって、本開示は、本明細書で説明される例および設計に限定されるように意図されたものではなく、本明細書で開示された原理および新規の特徴と一致する最も広い範囲が付与されるものである。
以下に本願発明の当初の特許請求の範囲に記載された発明を付記する。
［Ｃ１］  基地局（ＢＳ）によるワイヤレス通信のための方法であって、
第１のタイプのユーザ機器（ＵＥ）と通信するために少なくとも第１のトランスポートブロックサイズ（ＴＢＳ）テーブルを使用することと、
第２のタイプのＵＥと通信するために、第２のＴＢＳテーブルを使用すること、ここにおいて、前記第１のタイプのＵＥは、前記第２のタイプのＵＥに比して低減されたピークデータレートをサポートする、と、
前記第１のＴＢＳテーブルからＴＢＳを決定することにおける使用のために前記第１のタイプのＵＥに情報をシグナリングすることと、
前記シグナリングされた情報に少なくとも部分的に基づいて選択された前記第１のＴＢＳテーブルからのＴＢＳ値に基づいて決定された多数のビットを有するペイロードを有する１つまたは複数の送信で、前記第１のタイプのＵＥと通信することと、
を備える、方法。
［Ｃ２］  前記第１のＴＢＳテーブルおよび第２のＴＢＳテーブルは、各々、より大きいＴＢＳテーブルのサブセットである、Ｃ１に記載の方法。
［Ｃ３］  前記第１のタイプのＵＥにシグナリングされた前記情報は、前記第１のＴＢＳテーブルへの明示的なインデックスを備える、Ｃ１に記載の方法。
［Ｃ４］  前記明示的なインデックスは、前記第１のＴＢＳテーブルへのマッピングに基づき、および
異なる複数のマッピングが、前記第１のタイプのＵＥの異なる複数の動作モードのために使用される、Ｃ３に記載の方法。
［Ｃ５］  前記第１のタイプのＵＥの前記異なる複数の動作モードは、ダウンリンク送信を受信することおよびアップリンク送信を受信することを備える、Ｃ４に記載の方法。
［Ｃ６］  前記第１のタイプのＵＥの前記異なる複数の動作モードは、ユニキャスト送信を受信することおよびブロードキャスト送信を受信することを備える、Ｃ４に記載の方法。
［Ｃ７］  前記第１のＴＢＳテーブルからの前記ＴＢＳ値は、ペイロードがそれ上で送信されるサブフレームの数を示す送信時間間隔（ＴＴＩ）のバンドリングサイズに少なくとも部分的に基づいて選択される、Ｃ１に記載の方法。
［Ｃ８］  前記第１のＴＢＳテーブルは、前記第２のＴＢＳテーブルとエントリの共通のセットを共有する、Ｃ１に記載の方法。
［Ｃ９］  前記第１のＴＢＳテーブルは、前記第２のＴＢＳテーブルに対して限定された数のエントリを有する、Ｃ１に記載の方法。
［Ｃ１０］  前記第１のＴＢＳテーブルへのインデックスは、前記第２のＴＢＳテーブルへのインデックスよりも少なくとも１つ少ないビットを要する、Ｃ９に記載の方法。
［Ｃ１１］  前記第１のテーブルの最大ＴＢＳは、前記第２のテーブルの最大ＴＢＳよりも小さい、Ｃ１に記載の方法。
［Ｃ１２］  前記第１のＴＢＳテーブルにおける値は、全てのエントリにわたって単調に増加しない、Ｃ１に記載の方法。
［Ｃ１３］  前記第１のＴＢＳテーブルは、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのためのＴＢＳ値を決定するために使用される、Ｃ１に記載の方法。
［Ｃ１４］  ユーザ機器（ＵＥ）によるワイヤレス通信のための方法であって、
基地局（ＢＳ）と通信するために、第１のトランスポートブロックサイズ（ＴＢＳ）テーブルを使用すること、ここにおいて、前記第１のＴＢＳテーブルは、第２のタイプのＵＥと通信するために前記ＢＳによって使用される第２のＴＢＳテーブルに比して低減された最大ＴＢＳ値を有する、および、ここにおいて、前記第１のタイプのＵＥは、前記第２のタイプのＵＥに比して低減されたピークデータレートをサポートする、と、
前記第２のＴＢＳテーブルからＴＢＳを決定することにおける使用のために前記ＢＳから情報を受信することと、
前記ＢＳからシグナリングされた情報に少なくとも部分的に基づいて選択された前記第１のＴＢＳテーブルからのＴＢＳ値に基づいて決定された多数のビットを有するペイロードを有する１つまたは複数の送信で、前記ＢＳと通信することと、
を備える、方法。
［Ｃ１５］  前記第１のＴＢＳテーブルおよび第２のＴＢＳテーブルは、各々、より大きいＴＢＳテーブルのサブセットである、Ｃ１４に記載の方法。
［Ｃ１６］  前記ＢＳからシグナリングされた前記情報は、前記第１のＴＢＳテーブルへの明示的なインデックスを備える、Ｃ１４に記載の方法。
［Ｃ１７］  前記明示的なインデックスは、前記第１のＴＢＳテーブルへのマッピングに基づき、および
異なる複数のマッピングが、前記ＵＥの異なる複数の動作モードのために使用される、Ｃ１６に記載の方法。
［Ｃ１８］  前記ＵＥの前記異なる複数の動作モードは、ダウンリンク送信を受信することおよびアップリンク送信を受信することを備える、Ｃ１７に記載の方法。
［Ｃ１９］  前記ＵＥの前記異なる複数の動作モードは、ユニキャスト送信を受信することおよびブロードキャスト送信を受信することを備える、Ｃ１７に記載の方法。
［Ｃ２０］  前記第１のＴＢＳテーブルからの前記ＴＢＳ値は、ペイロードがそれ上で送信されるサブフレームの数を示す送信時間間隔（ＴＴＩ）のバンドリングサイズに少なくとも部分的に基づいて選択される、Ｃ１４に記載の方法。
［Ｃ２１］  前記第１のＴＢＳテーブルは、前記第２のＴＢＳテーブルとエントリの共通のセットを共有する、Ｃ１４に記載の方法。
［Ｃ２２］  前記第１のＴＢＳテーブルは、前記第２のＴＢＳテーブルに対して限定された数のエントリを有する、Ｃ１４に記載の方法。
［Ｃ２３］  前記第１のＴＢＳテーブルへのインデックスは、前記第２のＴＢＳテーブルへのインデックスよりも少なくとも１つ少ないビットを要する、Ｃ２２に記載の方法。
［Ｃ２４］  前記第１のテーブルの最大ＴＢＳは、前記第２のテーブルの最大ＴＢＳよりも小さい、Ｃ１４に記載の方法。
［Ｃ２５］  前記第１のＴＢＳテーブルにおける値は、全てのエントリにわたって単調に増加しない、Ｃ１４に記載の方法。
［Ｃ２６］  前記第１のＴＢＳテーブルは、
ダウンリンクおよびアップリンク送信の両方、
ユニキャストおよびブロードキャスト送信の両方、または、
マルチメディアブロードキャストマルチキャストサービス（ＭＢＭＳ）送信
のうちの少なくとも１つのためのＴＢＳ値を決定するために使用される、Ｃ１４に記載の方法。
［Ｃ２７］  基地局（ＢＳ）によるワイヤレス通信のための装置であって、
第１のタイプのユーザ機器（ＵＥ）と通信するために第１のトランスポートブロックサイズ（ＴＢＳ）テーブルを使用することと、第２のタイプのＵＥと通信するために、第２のＴＢＳテーブルを使用すること、ここにおいて、前記第１のタイプのＵＥは、前記第２のタイプのＵＥに比して低減されたピークデータレートをサポートする、と、前記第１のＴＢＳテーブルからＴＢＳを決定することにおける使用のために前記第１のタイプのＵＥに情報をシグナリングすることと、前記シグナリングされた情報に少なくとも部分的に基づいて選択された前記第１のＴＢＳテーブルからのＴＢＳ値に基づいて決定された多数のビットを有するペイロードを有する１つまたは複数の送信で、前記第１のタイプのＵＥと通信することとを行うように構成された少なくとも１つのプロセッサ、および
前記少なくとも１つのプロセッサに結合されたメモリ、
を備える、装置。
［Ｃ２８］  ユーザ機器（ＵＥ）によるワイヤレス通信のための装置であって、
基地局（ＢＳ）と通信するために、第１のトランスポートブロックサイズ（ＴＢＳ）テーブルを使用すること、ここにおいて、前記第１のＴＢＳテーブルは、第２のタイプのＵＥと通信するために前記ＢＳによって使用される第２のＴＢＳテーブルに比して低減された最大ＴＢＳ値を有する、およびここにおいて、前記第１のタイプのＵＥは、前記第２のタイプのＵＥに比して低減されたピークデータレートをサポートする、と、前記第２のＴＢＳテーブルからＴＢＳを決定することにおける使用のために前記ＢＳから情報を受信することと、前記ＢＳからシグナリングされた情報に少なくとも部分的に基づいて選択された前記第１のＴＢＳテーブルからのＴＢＳ値に基づいて決定された多数のビットを有するペイロードを有する１つまたは複数の送信で、前記ＢＳと通信することとを行うように構成された少なくとも１つのプロセッサ、および
前記少なくとも１つのプロセッサに結合されたメモリ、
を備える、装置。